【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
像担持体と、
帯電電圧が供給され、前記像担持体の表面を帯電する帯電部と、
前記像担持体の表面に静電潜像を形成する露光部と、
現像電圧が供給され、前記像担持体に形成された静電潜像に現像剤を付着して可視像を形成する現像部と、
前記可視像を転写部材に転写する転写部と
前記転写部材上の可視像の濃度を検出する濃度検出手段と、
前記濃度検出手段により検出された濃度により、前記現像部に供給する現像電圧を設定する現像電圧設定手段と、
前記帯電部に供給する帯電電圧を前記設定された現像電圧との電位差が所定範囲の値になるように設定する帯電電圧設定手段と、
前記設定された帯電電圧に対し所定の露光量を設定する露光量設定手段と、
を備えたことを特徴とする画像形成装置。
【請求項２】
装置内の環境情報を検出する環境情報検出手段と、検出された環境情報に応じた電圧を格納する環境テーブルとを備え、
前記検出された環境情報に従い、前記帯電部材に供給する帯電電圧を前記設定された現像電圧との電位差が所定範囲の値になるように設定することを特徴とする請求項１に記載の画像形成装置。
【請求項３】
前記環境情報は、装置内の温度または湿度情報であることを特徴とする請求項２に記載の画像形成装置。
【請求項４】
印刷情報を検出する検出手段と、前記印刷情報に応じた電圧を格納する経時設定テーブルとを備え、前記検出された印刷情報に従い、前記帯電部材に供給する帯 電電圧を前記設定された現像電圧との電位差が所定範囲の値になるように設定することを特徴とする請求項１乃至３のいずれか１項記載の画像形成装置。
【請求項５】
前記印刷情報は、印刷枚数であることを特徴とする請求項４に記載の画像形成装置。
【請求項６】
像担持体と、
帯電電圧が供給され、前記像担持体の表面を帯電する帯電部と、
前記像担持体の表面に静電潜像を形成する露光部と、
現像電圧が供給され、前記像担持体に形成された静電潜像に現像剤を付着して可視像を形成する現像部と、
前記可視像を転写部材に転写する転写部と、
前記転写部材上の可視像の濃度を検出する濃度検出手段と、
前記濃度検出手段により検出された濃度により、前記現像部材に供給する現像電圧を設定する現像電圧設定手段と、
前記可視像の表面電圧を検出する電位検出手段と、
前記電位検出手段により検出された電圧に基づき、前記帯電部材に供給する帯電電圧を前記設定された現像電圧との電位差が所定範囲の値になるように設定する帯電電圧設定手段と、
前記設定された帯電電圧に対し所定の露光量を設定する露光量設定手段と、
を備えたことを特徴とする画像形成装置。
【請求項７】
前記電位検出手段は、前記像担持体上の可視像電位を検出することを特徴とする請求項６に記載の画像形成装置。
【請求項８】
前記電位検出手段は、前記転写部材上の可視像電位を検出することを特徴とする請求項６に記載の画像形成装置。
【請求項９】
前記電位検出手段は、前記現像部材上の可視像電位を検出することを特徴とする請求項６に記載の画像形成装置。
【請求項１０】
前記電位検出手段は、電位センサであることを特徴とする請求項請求項６乃至９のいずれか１項に記載の画像形成装置。
【請求項１１】
前記電位検出手段は、現像電流検出回路であることを特徴とする請求項９に記載の画像形成装置。
【手続補正２】
【補正対象書類名】明細書
【補正対象項目名】０００６
【補正方法】変更
【補正の内容】
【０００６】
上記課題を解決するために、本発明は、像担持体と、帯電電圧が供給され、前記像担持体の表面を帯電する帯電部と、前記像担持体の表面に静電潜像を形成する 露光部と、現像電圧が供給され、前記像担持体に形成された静電潜像に現像剤を付着して可視像を形成する現像部と、前記可視像を転写部材に転写する転写部と 前記転写部材上の可視像の濃度を検出する濃度検出手段と、前記濃度検出手段により検出された濃度により、前記現像部に供給する現像電圧を設定する現像電圧 設定手段と、前記帯電部に供給する帯電電圧を前記設定された現像電圧との電位差が所定範囲の値になるように設定する帯電電圧設定手段と、前記設定された帯電電 圧に対し所定の露光量を設定する露光量設定手段とを備えたことを特徴とする画像形成装置を提供する。
【手続補正３】
【補正対象書類名】明細書
【補正対象項目名】０００７
【補正方法】変更
【補正の内容】
【０００７】
また、上記課題を解決するために、本発明は、像担持体と、帯電電圧が供給され、前記像担持体の表面を帯電する帯電部と、前記像担持体の表面に静電潜像を形成する露光部と、現像電圧が供給され、前記像担持体に形成された静電潜像に現像剤を付着して可視像を形成する現像部と、前記可視像を転写部材に転写する転 写部と、前記転写部材上の可視像の濃度を検出する濃度検出手段と、前記濃度検出手段により検出された濃度により、前記現像部材に供給する現像電圧を設定する現像電圧設定手段と、前記可視像の表面電圧を検出する電位検出手段と、前記電位検出手段により検出された電圧に基づき、前記帯電部材に供給する帯電電圧 を前記設定された現像電圧との電位差が所定範囲の値になるように設定する帯電電圧設定手段と、前記設定された帯電電圧に対し所定の露光量を設定する露光量設定 手段とを備えたことを特徴とする画像形成装置を提供する。
【手続補正４】
【補正対象書類名】明細書
【補正対象項目名】０００８
【補正方法】変更
【補正の内容】
【０００８】
本発明によれば、像担持体と、帯電電圧が供給され、前記像担持体の表面を帯電する帯電部と、前記像担持体の表面に静電潜像を形成する露光部と、現像電圧が 供給され、前記像担持体に形成された静電潜像に現像剤を付着して可視像を形成する現像部と、前記可視像を転写部材に転写する転写部と前記転写部材上の可視 像の濃度を検出する濃度検出手段と、前記濃度検出手段により検出された濃度により、前記現像部に供給する現像電圧を設定する現像電圧設定手段と、前記帯電 部に供給する帯電電圧を前記設定された現像電圧との電位差が所定範囲の値になるように設定する帯電電圧設定手段と、前記設定された帯電電圧に対し所定の露光量 を設定する露光量設定手段とを備えたことを特徴とする画像形成装置を提供することで、カブリのない、且つ濃度が安定した、良好な品質の出力画像を得ること ができる。
【手続補正５】
【補正対象書類名】明細書
【補正対象項目名】０００９
【補正方法】変更
【補正の内容】
【０００９】
また、本発明によれば、像担持体と、帯電電圧が供給され、前記像担持体の表面を帯電する帯電部と、前記像担持体の表面に静電潜像を形成する露光部と、現像 電圧が供給され、前記像担持体に形成された静電潜像に現像剤を付着して可視像を形成する現像部と、前記可視像を転写部材に転写する転写部と、前記転写部材 上の可視像の濃度を検出濃度検出手段と、前記濃度検出手段により検出された濃度により、前記現像部材に供給する現像電圧を設定する現像電圧設定手段と、前 記可視像の表面電圧を検出する電位検出手段と、前記電位検出手段により検出された電圧に基づき、前記帯電部材に供給する帯電電圧を前記設定された現像電圧 との電位差が所定範囲の値になるように設定する帯電電圧設定手段と、前記設定された帯電電圧に対し所定の露光量を設定する露光量設定手段とを備えたことを特徴 とする画像形成装置を提供することで、カブリのない、且つ濃度が安定した、良好な品質の出力画像を得ることができる。